(57)【特許請求の範囲】
【請求項１】
回転するモータ軸を有する電動機と、
前記電動機を覆うモータハウジングと、前記モータハウジングに接続され前記モータ軸に対して直交する方向に延びたハンドルとを有するハウジングと、
前記ハウジングより伸び前記電動機に給電を行う電源コードと、
前記ハウジングに接続され、前記電源コードを覆うコードアーマーとを有した電動工具であって、
前記コードアーマーを前記ハンドルの前記モータハウジング側に回動可能に支持すると共に、前記コードアーマーを、前記ハウジングより第１の方向に伸びる第１延伸部と、前記第１の方向とは異なる第２の方向に伸びる第２延伸部とを有する形状とし、前記コードアーマーは前記モータハウジングに当接することで、回動量が規制されることを特徴とする電動工具。
【請求項２】
前記ハンドルの前記モータハウジングと反対側に位置するソーカバーと、
前記ソーカバーに一部が覆われ、前記電動機に駆動される丸鋸刃と、
前記ハウジングの下方に位置するベースを有することを特徴とする請求項１に記載の電動工具。
【発明の詳細な説明】
【技術分野】
【０００１】
本発明は、電源コードと、電源コードを覆うコードアーマーとを有した電動工具に関するものである。
【背景技術】
【０００２】
従来の電動工具を図８によって説明する。図８は、電動工具の一例として示される携帯用丸鋸を上部から見た平面図である。ハウジング１はモータハウジング１Ａ、ギアハウジング１Ｂ、ハンドル１Ｃより構成されている。モータハウジング１Ａ内には図示しない電動機が内蔵されている。ハウジングの一部であるハンドル１Ｃより、電源コード３がハンドル１Ｃの切断方向後方であってモータハウジング側からほぼ一定の方向に伸びる構成である。なお、電源コード３のハンドル１Ｃ付近の取付け部には、電源コード３とハンドル１Ｃとの間の摩擦などを抑制するためのコードアーマー２が取付けられている。電源コード３は、プラグ４を図示しないコンセントに差し込むことによって電源コード３に給電され、図示しない電動機その他の携帯用丸鋸の電気機器へと給電が行われる。その他の携帯用丸鋸の電子機器とは例えば、丸鋸刃周辺や、ベース６の前方を照らすライト、レーザーなどがある。
【発明の開示】
【発明が解決しようとする課題】
【０００３】
従来の電動工具では、電源コード３がハウジング１からほぼ一定の方向に伸びる構成となっていたために、電源コード３の取り回し性が良いとはいえないものであった。すなわち、図８に示す携帯用丸鋸を例に説明をすると、電源コード３はハンドル１Ｃより紙面の右側から左方向への一定の方向に伸びる構成となっているために、作業形態によっては電源コード３が邪魔になるため、邪魔にならないように電源コード３を強制的に変形させる必要があった。また、変形状態を維持させることが困難であるため、結果として邪魔となってしまうものであった。
【０００４】
本願発明の目的は、電源コードの本体からの伸び方向を容易に変更可能である作業性の良い電動工具を提供することである。
【課題を解決するための手段】
【０００５】
上記目的は、コードアーマーをハウジングに回動可能に支持すると共に、コードアーマーを、ハウジングより第１の方向に伸びる第１延伸部と、第１の方向とは異なる第２の方向に伸びる第２延伸部とを有する形状としたことによって達成することができる。
【発明の効果】
【０００６】
本発明によれば、コードアーマーの第２延伸部を持って回動させることが可能になるために、容易に回動を行うことができ、電源コードの本体からの伸び方向を容易に変更可能である作業性の良い電動工具を提供することができるようになる。
【発明を実施するための最良の形態】
【０００７】
本発明の一実施例を図１によって説明する。図１は、電動工具の一例である携帯用丸鋸である。携帯用丸鋸は、電気によって丸鋸刃を回転させる電動工具である。
【０００８】
図１の携帯用丸鋸は、携帯用丸鋸本体Ｘとベース６とを有する。携帯用丸鋸本体Ｘにはハウジング１がある。ハウジング１は、図示しない電動機を内蔵するモータハウジング１Ａと、ギアハウジング１Ｂと、ハンドル１Ｃとを有する。ギアハウジング１Ｂには、電動機の回転を図２に示す丸鋸刃５に伝える図示しないギアが内蔵されている。ギアハウジング１Ｂにはソーカバー１１が着脱可能に設けられている。ソーカバー１１の上部には、集塵管１４が設けられている。図示しない電動機は、回転軸を有しており、ハンドル１Ｃは後述の丸鋸刃軸５Ａと略平行な向きに延びている。
【０００９】
図２に示すように、携帯用丸鋸の本体Ｘはベース６に対して切断方向前後方向に、回動可能に設けられており、その回動中心は、ピン１３Ａである。ベース６にはリンク１３Ｃが設けられており、本体Ｘには締め付け部１３Ｂが設けられている。リンク１３Ｃは、回動中心のピン１３Ａを中心としたほぼ円弧状の穴部１３Ｃ１を有している。締め付け部１３Ｂは、軸部１３Ｂ３と、軸部の一端に設けられる突き当て部１３Ｂ２と、軸部の他端に設けられる回動可能なノブ１３Ｂ１とを有する。穴部１３Ｃ１には軸部が挿通されており、リンク１３Ｃ１を挟むように軸部１３Ｂ３の一端に突き当て部１３Ｂ２及び回動可能なノブ１３Ｂ１が設けられる。軸部１３Ｂ３を穴部１３Ｃ１の内部で移動させることによって、本体Ｘは、ベース６に対して回動することができるようになっている。
【００１０】
ノブ１３Ｂ１を回動させると、突き当て部１３Ｂ２及び軸部１３Ｂ３が、軸部１３Ｂ３の軸方向に移動する。このようにノブ１３Ｂ１の回動による突き当て部１３Ｂ２の移動によって、リンク１３Ｃが設けられるベース６と締め付け部１３Ｂが設けられる本体Ｘの回動が規制される。
【００１１】
図１に示すように、ハンドル１Ｃの切断方向後方であってモータハウジング１Ａ側には、コードアーマー２が設けられており、コードアーマー２には電源コード３の一部が内設されている。電源コード３の反コードアーマー端には、プラグ４が設けられており、図示しないコンセントと接続可能になっている。
【００１２】
図１中に示すように、コードアーマー２は、ハウジング１の一部であるハンドル１Ｃからハンドル１Ｃと直交するように第１の方向へと延びている。この第一の方向へと延びている部分を第１延伸部２Ａと呼ぶ。また、第１の方向とは異なった垂直な方向である第２の方向へと延びている。この第２の部分へと延びている部分を第２延伸部と呼ぶ。
【００１３】
図２に示すように、ハンドル１Ｃには、スイッチ１Ｃ１が設けられており、スイッチを操作することによって図示しない電動機へと給電が行われるようになっている。図示しない電動機は、図示しないギアに係合しており、図示しないギアは、丸鋸刃５の軸である丸鋸刃軸５Ａに係合している。丸鋸刃軸５Ａには丸鋸刃５が固定されており、丸鋸刃５は、丸鋸刃軸５Ａに対して着脱可能である。
【００１４】
丸鋸刃５は、ベース６に設けられた図示しないスリットによって、ベース６より下方へと突出可能になっている。また、ベース下方へと突出した丸鋸刃５を覆うように安全カバー７が設けられている。なお、安全カバー７は、図示しないスリットよりベース６の下方へと突出可能となっている。安全カバー７は、丸鋸刃軸５Ａを略回動中心として回動可能であり、被削材と当接すると回動し、回動することによってベース６よりも上方へと移動可能となっている。
【００１５】
丸鋸刃５を覆うように、ソーカバー１１が設けられており、ソーカバー１１は図１に示すギアハウジング１Ｂに着脱可能に設けられている。ソーカバー１１とギアハウジング１Ｂとの着脱は、ボルト１１Ａによって行われ、ギアハウジング１Ｂには、ボルト１１Ａと螺合する図示しない雌ネジが設けられており、ボルト１１Ａの締め付けによってソーカバー１１は、ギアハウジング１Ｂへと固定することができるようになっている。
【００１６】
ソーカバー１１の上部には、ダクト１４が設けられており、ダクト１４には図示しない凸部があり、ソーカバー１１には、凸部と嵌合する図示しない溝部が設けられており、ソーカバー１１に対してダクト１４は回転可能となっている。また、ソーカバー１１に設けられ、凸部と係合する他の溝部と係合することによって、ソーカバー１１に対してダクト１４は回転不能とすることができる。
【００１７】
図２に示すように、携帯用丸鋸の本体Ｘはベース６に対して切断方向前後に垂直な方向に、回動可能に設けられており、その回動中心は、携帯用丸のこの切断方向後方に設けられる図４に示すピン１２Ｂである。図４に示すように、本体Ｘはベース６に対してピン１２Ｂを回動中心として回動可能に設けられており、本体Ｘは時計回りの方向に回動可能となっている。
【００１８】
図１に、携帯用丸鋸の本体Ｘはベース６に対して切断方向前後に垂直な方向への回動を締め付ける締め付け部１２Ａを示す。締め付け部１２Ａは、ノブ１２Ａ１と、突き当て部１２Ａ２と、軸部１２Ａ３を有している。また、軸部によって挿通される傾斜調整板１２Ｃが設けられている。
【００１９】
傾斜調整板１２Ｃは、回動中心を中心とする円弧状の穴部を有しており、該穴部内を軸部１２Ａ３が移動することによって、携帯用丸鋸の本体Ｘはベース６に対して切断方向前後に垂直な方向へと回動することができるものである。このような動作を傾斜と呼ぶ。
【００２０】
図３には、携帯用丸鋸の背面図を示す。携帯用丸のこのコードアーマー２が第２の方向である切断方向後方へと延びている様子が示されている。なお、図３の図中に後に図６で説明する断面であるＡ−Ａ線を示している。
【００２１】
また、図４中に後に図７で説明する断面であるＢ−Ｂ線を示している。
【００２２】
図６に、図３のＡ−Ａ線断面図を示す。Ａ−Ａ線断面図は、ハンドル１Ｃ及びコードアーマー２付近の断面図を示す。ハンドル１Ｃ内部及びコードアーマー２内には、電源コード３が内設されている。コードアーマー２は突起部２Ｃを有しており、ハンドル１Ｃ内の突き当て１Ｃ４と当接している。また、コードアーマー２はハンドル１Ｃに対して回動可能となっている。なお、この回動の際には図１に示すように、第２延伸部２Ｂを持って、容易に回動することができるようになっている。また、回動させた際には、第２延伸部２Ｂが第２の方向へと延びるために、第２の方向へと容易にコードアーマー２に内設される電源コード３を案内することができる。ここで、図６に示されるように、ハンドル内部では、電源コード３は、位置変更自在となっている。
【００２３】
なお、図１に示すようにハンドル１Ｃのモータハウジング１Ａからコードアーマー２が伸びる構成となっている。
【００２４】
図７に図４のＢ−Ｂ線断面図を示す。Ｂ−Ｂ線断面図は、ハンドル１Ｃの内部及び電源コード３を示す。電源コード３は、コードアーマー２よりも上部で留め部であるコードクリップ１０によって、固定されている。このコードクリップ１０からコードアーマー２までの間では、電源コード３は位置変更自在となっている。図７に示すように、コードアーマ２ーはコードアーマー２の突起部２Ｃによって、ハンドル１Ｃに対して回動自在となっている。
【００２５】
本発明の携帯用切断機の動作について説明する。ハンドル１Ｃに設けられるスイッチ１Ｃ１を操作すると、ハウジングの一部であるモータハウジング１Ａ内に内蔵される図示しない電動機に給電が成される。この給電によって、電動機の回転がハウジングの一部であるギアハウジング１Ｂ内に内蔵されるギア部に回転伝達される。ギア部に回転が伝達されると、丸鋸刃軸５Ａにギア部から回転が伝達される。このようにしてスイッチ１Ｃ１を作業者が操作すると、丸鋸刃軸５Ａに固定された丸鋸刃５は回転する。丸鋸刃５は、回転力によって、被削材８を切断加工する。被削材７を切断した際には、切粉が発生するが、切粉は、ソーカバー１１内部に入り、ダクト１４より携帯用丸鋸の本体の外へと排出される。なお、ダクト１４には、集じん機又は集じんバッグのような集じんを行う部分が取付けられる。
【００２６】
前記したように、携帯用丸鋸の本体は切断方向前後方向へと回動可能である。ノブ１３Ｂ１を操作すると、リンク１３Ｃと締め付け部１３Ｂの間の締め付けが外れる。このことによって、ベース６に対して本体Ｘを切断方向前後方向へと回動可能である。このように回動することによって、本体に取付けられる丸鋸刃５のベース６からの下方の突出量を調整することができる。なお、リンク１３の穴部１３Ｃ１の上部に軸部１３Ｂ３があるほど、ベース６からの丸鋸刃５の下方の突出量は小さくなる。これは、浅く切断を行いたい場合などに用いる切断方法である。
【００２７】
また、前記したように、本体は切断方向前後方向と直交する方向へと回動可能である。ノブ１２Ａ１を操作すると、傾斜調整板１２Ｃと締め付け部１２Ａとの間の締め付けが外れる。このことによって、ベース６に対しての丸鋸刃５を回動することができる。このように調整することによって、角度を調整可能である。このようにベース６に対して丸鋸刃５を回動することができるようにしているのは、被削材８を被削材の表面に対して垂直以外の角度で切断を行うことが必要な場合があるからである。
【００２８】
図３及び図５を参照して電源コード３の取り回しについて説明する。電源コード３は、ハウジング付近にコードアーマー２を有しており、コードアーマー２は、ハンドル１Ｃに対して回動可能となっている。コードアーマー２は図３では切断方向後方へと延びており、コードアーマー２は図５では図３の状態から約１６０度程度反時計回りに回動されており、略切断方向前方へと延びている。これは、コードアーマー２を回動したことによってモータハウジング１Ａに当接した状態を示している。なお、図示しないが、コードアーマー２を図３の状態から時計回りに略２１０度回動させることによっても、モータハウジング１Ａに当接することができるような構成となっている。
【００２９】
このように、コードアーマー２に第２延伸部２Ｂを設け、その部分を持つことによって容易にハウジングに対して回動することができるようになっている。また、回動した際には、第２延伸部の第２の方向へと電源コード３を案内することができるために、電源コードの本体からの伸び方向を容易に変更可能であり、作業の支障となることを抑制することができる。
【００３０】
また、このように、コードアーマー２が所定量回動した際にハウジングの一部と当接可能に設けられており、この当接によってこの所定量以上の回動が規制されるような構成となっている。その為、本体に対してコードアーマー２が回動しすぎることがない。その為に、コードアーマー２に内設される電源コード２が回動しすぎることによって損傷を受けることを抑制することができるようになっている。
【００３１】
本願発明においては、実施例として携帯用丸鋸によって説明を行ったが、ハンマドリル、ドライバ、グラインダ、ジグソー、ルータ、セーバソーなどのように電源コード及びコードアーマーを有するものであれば広範に適応することができるものである。
【００３２】
本願発明においては、電源コード及びコードアーマーは、ハンドル１Ｃより延びる構成としたが、ハウジングであれば例えばモータハウジング１Ａ、ギアハウジング１Ｂなどのようにいずれの場所から延びる構成であっても本願発明の効果を奏し得ることができるので良いものである。
【００３３】
本願発明の効果は、上記した携帯用丸鋸に限らず他の電動工具においても適応できるものであり、例えば、ハンマドリル、ドライバ、グラインダ、ジグソー、ルータ、セーバソーなどのように電源コード及びコードアーマーを有するものであれば広範に適応することができるものである。
【図面の簡単な説明】
【００３４】
【図１】本発明の一実施例を示す丸のこの上面図である。
【図２】本発明の一実施例を示す丸のこの側面図である。
【図３】本発明の一実施例を示す丸のこの背面図である。
【図４】本発明の一実施例を示す丸のこの側面図である。
【図５】本発明の一実施例を示す丸のこの断面図Ａ−Ａである。
【図６】本発明の一実施例を示す丸のこの断面図Ｂ−Ｂである。
【図７】従来の一実施例を示す丸のこの正面図である。
【図８】従来の一実施例を示す丸のこの上面図である。
【符号の説明】
【００３５】
１はハウジング、２はコードアーマー、３は電源コード、４はプラグ、５は丸鋸刃、６はベース、７は安全カバー、８は被切断材、１Ｃはハンドル、２Ａは第１延伸部、２Ｂは第２延伸部。
【図１】
0005082728.tif 000002
【図２】
0005082728.tif 000003
【図３】
0005082728.tif 000004
【図４】
0005082728.tif 000005
【図５】
0005082728.tif 000006
【図６】
0005082728.tif 000007
【図７】
0005082728.tif 000008
【図８】
0005082728.tif 000009